【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
膨張可能なプレナムを画定する上部及び底部のシートを有する移送マットレスを備える患者移送装置であって：前記底部シートが前記マットレスの下側に横たわる面上のスライド動作を容易にするために、前記プレナムが膨張させられたときに前記底部シートの下側にエアクッションを生成するように構成された空気排出穴を有し、前記移送マットレスがさらに、頭側端部及び反対側の足側端部、及び、前記頭側端部に配置された膨張可能な胴体支持小室であって、前記頭側端部の前記上部シートを傾けて、患者の胴体の上部を患者の胴体の下部及び足に対して持ち上げるために構成された胴体支持小室を含み、前記移送マットレスの前記胴体支持小室が前記膨張可能なプレナムから分離された内部を画定する患者移送装置。
【請求項２】
前記胴体が前記頭側端部の部分で、前記足側端部に対して約４０度以下の角度で傾くことができる、請求項１に記載の患者移送装置。
【請求項３】
前記移送マットレスが前記頭側端部と前記足側端部の間に中間部分を含み、前記移送マットレスが縦方向に拡張する１組の側部空気小室、並びに前記頭側端部、前記中間部分、及び前記足側端部の各々の部分において前記側部空気小室の間に拡張する複数の横方向小室を含み、前記中間部分の前記横方向小室の幅が前記頭側端部及び前記足側端部の横方向小室より狭い、請求項１に記載の患者移送装置。
【請求項４】
前記移送マットレスの前記足側端部の上面上に配置された足分離器をさらに含み、前記足分離器が前記移送マットレス上に支持された患者の足の間の分離を維持するように構成されている、請求項１に記載の患者移送装置。
【請求項５】
前記足分離器が少なくとも１つの膨張可能な小室を含む、請求項４に記載の患者移送装置。
【請求項６】
前記足分離器がくさび形形状を画定するために前記足分離器の長さに沿って先細にされている、請求項４に記載の患者移送装置。
【請求項７】
前記胴体支持小室の上に配置された膨張可能な頭部支持小室をさらに備える、請求項１に記載の患者移送装置。
【請求項８】
前記膨張可能な頭部支持小室が前記胴体支持小室の内部から分離された内部を画定する、請求項７に記載の患者移送装置。
【請求項９】
前記膨張可能な頭部支持小室が部分的に膨張した状態を与えるために、調節可能に膨張させることができるように構成されている、請求項７に記載の患者移送装置。
【請求項１０】
支持された患者の下側に横たわる面に対するスライド移動を容易にするために構成された底面の空気排出穴を有する患者移送装置であって：
膨張可能な小室を含む胴体支持体であって、前記胴体支持小室が膨張させられたときに、患者の胴体が患者の足に対して持ち上げられるように、下側に横たわる患者移送装置の支持面に対して傾けられる上面を有する胴体支持体；
膨張可能な頭部支持小室を含む、前記胴体支持体の上面に配置された頭部支持体であって、前記頭部支持小室が、それぞれの小室の独立な膨張のために、前記胴体支持小室によって画定される内部から分離された内部を画定する頭部支持体；
前記胴体支持小室及び前記頭部支持小室の各々に接続された入口管であって、各々が関連する小室を膨張させるために加圧された空気源に接続されている入口管；及び、
前記入口管に機能可能に接続され、前記胴体支持小室及び前記頭部支持小室の膨張の独立に制御するために構成されている膨張制御システムを備える患者移送装置。
【請求項１１】
前記膨張制御システムが加圧された空気源に接続された分配マニホールドを含み、前記分配マニホールドが前記加圧された空気源から前記胴体支持小室及び前記頭部支持小室への独立した加圧された空気の供給を与えるために前記入口管の各々に接続された弁を含む、請求項１０に記載の患者移送装置。
【請求項１２】
前記胴体支持小室及び前記頭部支持小室の各々に接続された排気管をさらに備え、前記分配マニホールドが関連した小室からの空気の排出、及び小室の制御された収縮ために前記排気管の各々に接続された弁を含む、請求項１０に記載の患者移送装置。
【請求項１３】
前記分配マニホールドの前記弁が電気的に制御される弁である、請求項１２に記載の患者移送装置。
【請求項１４】
前記膨張制御システムが前記分配マニホールドの弁を制御するための制御ユニットを含み、前記制御ユニットがユーザーの親指による作動のために挿管用管に取り付けられるように構成されている、請求項１０に記載の患者移送装置。
【請求項１５】
前記頭部支持小室が前記頭部支持小室の上面上に配置されたクッション、及び前記頭部支持小室及び前記クッションを覆うカバーを含む、請求項１０に記載の患者移送装置。
【請求項１６】
患者移送装置であって：
上部及び底部のシート、及び膨張可能なプレナムを含む移送マットレスであって、前記プレナムが膨張させられたときに、前記マットレスの下側に横たわる支持面に対するスライド移動を容易にするために前記底部シートの下側にエアクッションを生成するように構成されている移送マットレス；
前記移送マットレスに取り外し可能に取り付けられた胴体及び頭部支持付属物であって、前記付属物は膨張可能な小室を有する胴体支持体及び膨張可能な小室を有する頭部支持体を含み、前記頭部支持小室が前記胴体支持体小室の上面に配置されており、前記胴体支持体が、前記胴体支持小室が膨張させられたときに、患者の胴体の上部を患者の胴体の下部及び足に対して持ち上げるために前記下側に横たわる支持面に対して傾けられる上面を有し、前記胴体支持小室及び前記頭部支持小室がそれぞれの小室の独立な膨張を可能にするために互いに分離された内部を画定する移送マットレス；
関連する小室の膨張のために関連する小室に加圧された空気を供給するための、前記胴体支持小室及び前記頭部支持小室の各々に接続された入口管；
加圧された空気源；
加圧された空気を受容するために前記加圧された空気源に機能可能に接続された分配マニホールドであって、各々が関連する小室への加圧された空気の制御された供給のために前記入口管の対応する１つに接続された第１及び第２の弁を含む分配マニホールド；及び、
前記分配マニホールドに接続されたコントローラーであって、前記胴体支持小室及び前記頭部支持小室の独立な膨張のために前記弁の動作を制御するように構成されたコントローラーを備える患者移送装置。
【請求項１７】
前記胴体支持小室及び前記頭部支持小室からの空気の排出のために関連する小室に接続された第１及び第２の排気管をさらに備え、前記分配マニホールドが関連する小室の制御された収縮のために前記排気管の対応する１つに接続された第３及び第４の弁を含む、請求項１６に記載の患者移送装置。
【請求項１８】
気管内挿管処置を受けている患者を位置付けるために、患者の胴体の上部を患者の胴体の下部及び足に対して持ち上げるための胴体及び頭部支持装置であって：
患者が実質的に仰向け状態のときに患者の本質的に全身体の下側に配置されるような寸法にされた身体支持体（７０,７８）であって、足側端部及び頭側端部を有する身体支持体；
前記身体支持の中間領域から前記身体支持の前記頭側端部まで拡張する、膨張可能な胴体支持空気小室であって、前記小室が膨張及び拡張されたときに、患者の胴体の上部及び頭部を患者の胴体の下部及び足に対して持ち上げるような寸法にされた胴体支持空気小室：
前記胴体支持小室の上面に配置され、患者の頭部の下側に配置されるように位置付けられた拡張可能な頭部枕（７６）であって、前記頭部枕が膨張可能な空気小室（８０）を含み、前記頭部枕空気小室が、前記頭部枕空気小室が膨張及び拡張したときに患者の頭部を持ち上げるように機能し、前記頭部枕空気小室が前記胴体支持小室とは独立な膨張のために前記胴体支持小室から分離された内部を有する頭部枕；
前記胴体支持小室前記頭部枕小室の各々に接続された入口管（９０,８８）であって、各々が関連する小室の膨張のために加圧された空気源としての空気分配マニホールド（９８）に接続されている入口管；
前記空気入口管に機能可能に接続された膨張制御システム（９６）であって、前記胴体支持小室及び前記頭部枕小室に加圧された空気を選択的に誘導することによって患者の喉頭の、挿管のために最適な解剖学的整列を達成するために、患者の胴体／頭部の位置が変化させられるように前記胴体支持小室及び前記頭部枕小室の膨張を独立に制御するように構成された膨張制御システムを備える膨張可能な胴体及び頭部支持装置。
【請求項１９】
前記胴体支持空気小室が前記身体支持体の前記足側端部に対して約４０度以下の角度で傾くことができる、請求項１８に記載の膨張可能な胴体及び頭部支持装置。
【請求項２０】
膨張可能なプレナムを画定する上部及び下部のシート（１２,１４）を有するタイプの患者移送マットレスへの取り付けのための手段（７２）を有する身体支持体をさらに備え、前記底部シートが、前記プレナムが膨張させられたときに、前記底部シートの下側にエアクッションを生成するように構成された空気排出穴を有する、請求項１８または１９に記載の膨張可能な胴体及び頭部支持装置。
【請求項２１】
請求項１８に記載の膨張可能な胴体及び頭部支持装置と膨張可能なプレナムを画定する上部及び下部のシート（１２,１４）を有するタイプの患者移送マットレスとの結合物であって、前記底部シートが、前記プレナムが膨張させられたときに、前記底部シートの下側にエアクッションを生成するように構成された空気排出穴を有し、前記胴体及び頭部支持装置が前記移送マットレスの上側に横たわる結合物。
【請求項２２】
前記移送マットレスの前記上部のシート（１２）が前記身体支持体の前記上面を形成するように、前記移送マットレス及び前記胴体及び頭部支持装置が一体化されている、請求項２１に記載の結合物。
【請求項２３】
気管内挿管処置中に患者を支持するための膨張可能な装置であって：
患者を受容するように構成された表面を画定する患者支持体であって、患者が実質的にうつ伏せまたは仰向け姿勢のときに患者の身体全体を収容するような寸法にされた患者支持体；
膨張させられたときに患者の頭部及び胴体の上部が患者の足に対して持ち上げられるように、前記患者支持面の頭側端部を上昇させるように構成された膨張可能な胴体小室；
患者の頭部を支持するために配置された拡張可能な枕であって、膨張させられたときに患者の頭部を患者の胴体の上部に対して持ち上げるように構成された膨張可能な小室を含み、前記枕小室が前記胴体小室とは独立な膨張のために前記胴体小室の内部から分離された内部を有する拡張可能な枕
前記胴体小室及び前記枕小室に空気を供給するための空気吸入システム；及び、
前記空気吸入システムを介して前記胴体小室及び前記枕小室への空気の供給を制御するための膨張制御システムであって、挿管を容易にするための患者の喉頭の最適な解剖学的整列を達成するために、患者の足に対する患者の胴体の上部の位置及び患者の胴体の上部に対する患者の頭部の位置の両方を調節することができるように、前記胴体小室及び前記枕小室の膨張を独立に制御するために構成されている膨張制御システムを備える膨張可能な装置。
【請求項２４】
前記膨張可能な装置が膨張可能な移送マットレスの上面に配置されるように、前記移送マットレスに取り付けられるように構成されている、請求項２３に記載の膨張可能な装置。